(57)【要約】【課題】スライドアジャスタのロック解除機構に干渉しない車両用シートを提供する。【解決手段】車両用シートは、スライドアジャスタと、シートクッションを支持するアッパライザとを備える。前記スライドアジャスタは、前記アッパライザに固定されるアッパレールと、前記アッパレールの前後移動を制御するロック機構と、前記ロック機構のロックを解除するロック解除機構と、操作レバーと、前記ロック解除機構を保護する保護部材とを備える。前記ロック解除機構は、前記操作レバーに連動するブラケットを備える。前記ロック機構は、前記ブラケットにより上下動するストッパを備える。前記ロック解除機構は、前記ブラケットを介して前記ロック機構のストッパを下げることにより、前記スライドアジャスタのロックを解除する。前記保護部材は、ワイヤで構成され、前記操作レバーの操作以外により前記ストッパを押し込むことを抑制するように構成される。【選択図】図３
2018030485.tif 000002
【特許請求の範囲】
【請求項１】
車両用シートは、
シートクッションと、
シートバックと、
前記シートクッションを前後に移動調整するスライドアジャスタと、
前記シートクッションを支持するアッパライザと、
を備え、
前記スライドアジャスタは、
前記アッパライザに固定されるアッパレールと、
車両の床に固定されるロアレールと、
前記アッパレールの前後移動を制御するロック機構と、
前記ロック機構のロックを解除するロック解除機構と、
前記アッパレールよりも内側に配設される操作レバーと、
前記ロック解除機構を保護する保護部材と、
を備え、
前記ロック解除機構は、
前記操作レバーに連動するブラケット
を備え、
前記ロック機構は、
前記ブラケットにより上下動するストッパ
を備え、
前記ロック解除機構は、前記ブラケットを介して前記ロック機構のストッパを下げることにより、前記スライドアジャスタのロックを解除し、
前記保護部材は、ワイヤで構成され、前記操作レバーの操作以外により前記ストッパを押し込むことを抑制するように構成される。
【請求項２】
請求項１の車両用シートにおいて、
前記保護部材は前記アッパライザに固定され、その固定位置は前記ブラケットよりも上方である。
【請求項３】
請求項２の車両用シートにおいて、
前記保護部材はＵ字状形で、平面視で前記Ｕ字状内に前記ストッパおよび前記ブラケットの支持軸から後方部分１／２以上が入っている。
【請求項４】
請求項３の車両用シートにおいて、
前記ロック解除機構は、さらに、前記操作レバーおよび前記ブラケットの双方に付勢力を付与する針金状スプリングを備える。
【請求項５】
請求項４の車両用シートにおいて、
前記針金状スプリングの付勢力によって前記操作レバーが支持軸回りに第一方向に向けて付勢され、前記操作レバーが下方に下がった状態になると共に、前記ブラケットも前記針金状スプリングの付勢力によって前記支持軸回りに第一方向に向かう力を受け、前記ストッパには力が加わらず、前記スライドアジャスタはロック状態を維持する。
【請求項６】
請求項４の車両用シートにおいて、
前記操作レバーを上方に向けて操作すると、前記操作レバーが前記針金状スプリングの付勢力に抗して前記支持軸回りに第二方向に回動し、この回動によって前記ブラケットが前記針金状スプリングの付勢力に抗して、前記ストッパを下方に移動し、前記スライドアジャスタはロック解除状態になる。
【発明の詳細な説明】
【技術分野】
【０００１】
本開示は車両用シートに関し、例えばシート位置調整機構を備える車両用シートに適用可能である。
【背景技術】
【０００２】
車両用シートは、車両の運転時にステアリングやペダル、レバー、スイッチ類を安全に無理なく操作でき、また、道路をよく見渡すことができるよう、シートの前後位置を調整するスライドアジャスタやシートバックの角度を調整するリクライニングアジャスタなど、乗員の体格に合わせて運転姿勢を調整する様々な調整機能を備えている。スライドアジャスタによるシートの前後位置調整は、シートの下部前端にある操作レバーを引いてシートのロック状態を解除し、シートを車両前後方向に動かし、最適な位置で操作レバーを離してシートをロックしている。
【先行技術文献】
【特許文献】
【０００３】
【特許文献１】実開昭６０−１２５２３０号公報
【発明の概要】
【発明が解決しようとする課題】
【０００４】
スライドアジャスタのロック解除機構を、スライドアジャスタの側面に取り付けることがある。車両用シート下にスペースを有する場合、後席乗員の足や床に置いた荷物等がロック解除機構に干渉し、不意にロックを解除してしまう可能性がある。
本開示の課題は、スライドアジャスタのロック解除機構に干渉しない車両用シートを提供することにある。
その他の課題と新規な特徴は、本明細書の記述および添付図面から明らかになるであろう。
【課題を解決するための手段】
【０００５】
本開示のうち代表的なものの概要を簡単に説明すれば下記の通りである。
すなわち、車両用シートは、シートクッションと、シートバックと、前記シートクッションを前後に移動調整するスライドアジャスタと、前記シートクッションを支持するアッパライザと、を備える。前記スライドアジャスタは、前記アッパライザに固定されるアッパレールと、車両の床に固定されるロアレールと、前記アッパレールの前後移動を制御するロック機構と、前記ロック機構のロックを解除するロック解除機構と、前記アッパレールよりも内側に配設される操作レバーと、前記ロック解除機構を保護する保護部材とを備える。前記ロック解除機構は、前記操作レバーに連動するブラケットを備える。前記ロック機構は、前記ブラケットにより上下動するストッパを備える。前記ロック解除機構は、前記ブラケットを介して前記ロック機構のストッパを下げることにより、前記スライドアジャスタのロックを解除する。前記保護部材は、ワイヤで構成され、前記操作レバーの操作以外により前記ストッパを押し込むことを抑制するように構成される。
【発明の効果】
【０００６】
上記車両用シートによれば、スライドアジャスタのロック解除機構に干渉しないようにすることができる。
【図面の簡単な説明】
【０００７】
【図１】図１は実施例に係る車両用シートの側面図である。
【図２】図２は実施例に係るスライドアジャスタのロック解除機構の斜視図である。
【図３】図３は実施例に係るスライドアジャスタのロック解除機構の斜視図である。
【図４】図４は実施例に係るスライドアジャスタの断面図である。
【図５】図５は実施例に係る車両用シートおよび後席用の車両用シートの側面図である。
【発明を実施するための形態】
【０００８】
以下、実施例について、図面を用いて説明する。ただし、以下の説明において、同一構成要素には同一符号を付し繰り返しの説明を省略することがある。なお、図面は説明をより明確にするため、実際の態様に比べ、各部の幅、厚さ、形状等について模式的に表される場合があるが、あくまで一例であって、本発明の解釈を限定するものではない。なお、本明細書における前後方向、上下方向、左右方向などの方向は、図１に示したＹ軸正方向が前方向、Ｙ軸負方向が後方向、Ｘ軸正方向が右方向、Ｘ軸負方向が左方向、Ｚ軸正方向が上方向、Ｚ軸負方向が下方向と規定される。
【実施例】
【０００９】
まず、実施例に係る車両用シートの構造について図１を用いて説明する。図１は実施例に係る車両用シートを説明する側面図である。
【００１０】
実施例に係る車両用シート１は、前後移動可能なシートクッション１０と、シートクッション１０に対して傾動可能なシートバック２０と、シートバック２０に接続されるヘッドレスト３０と、を備える。
【００１１】
シートクッション１０の下面側すなわちシートクッション１０の座面側とは反対側の面には、シートクッション１０の車両に対する前後位置を調整する左右一対のスライドアジャスタ４０が設けられている。左右それぞれのスライドアジャスタ４０は、シートクッション１０の下面側に固定されたアッパレール４１および車両の床に固定されたロアレール４２から構成されている。アッパレール４１はシートクッション１０の下部のアッパライザ５０に固定されている。アッパレール４１とロアレール４２とを係合させ、ロアレール４２上においてアッパレール４１をスライドさせることにより、シートクッション１０の車両に対する前後位置すなわち車両用シート１の車両に対する前後位置を調整することができる。スライドアジャスタ４０には、操作レバー４３が設けられている。操作レバー４３を用いて、ロアレール４２上におけるアッパレール４１の前後スライド（前後移動）を操作することができる。また、操作レバー４３でロックを解除することにより、ロアレール４２上におけるアッパレール４１の前後スライド（前後移動）が可能になる。
【００１２】
次に、スライドアジャスタの詳細について図２〜４を用いて説明する。図２は実施例に係るスライドアジャスタのロック解除機構の斜視図であり、保護部材を省略して示す図である。図３は実施例に係るスライドアジャスタのロック解除機構の斜視図であり、保護部材を省略しないで示す図である。図４は実施例に係るスライドアジャスタの断面図である。
【００１３】
左側のスライドアジャスタ４０には、アッパレール４１の前後動を規制するロック機構４４と、Ｕ字形状の操作レバー４３の操作に連動する係合部でアッパレール４１の前後動の規制を解除して、車両用シート１の前後位置を所望の位置に設定するロック解除機構４５が設けられている。ロック機構４４は、アッパレール４１に装着されるストッパ４４ａと、ストッパ４４ａに付勢力を付与する板状スプリング４４ｃを備える。
ロック解除機構４５は、ストッパ４４ａを動作させるブラケット４５ａと、操作レバー４３およびブラケット４５ａの双方に付勢力を付与する針金状スプリング４５ｃとを備えている。なお、ロック解除機構４５はアッパレール４１の前後方向の中央付近（図１の破線円Ａ）に配置される。
【００１４】
より具体的には、ロック機構４４は、通常は、図４に示すように、板状スプリング４４ｃの付勢力によってストッパ４４ａが回転軸４４ｂ周りに反時計方向に向けて付勢され、ロック状態を維持する。ロック解除機構４５は、通常は、図２に示すように、針金状スプリング４５ｃの付勢力によってブラケット４５ａが支持軸４５ｂ回りに時計方向に向けて付勢され、操作レバー４３が下方に下がった状態になると共に、ブラケット４５ａの後方部とストッパ４４ａは離れた状態となるためストッパ４４ａは力を受けずロック状態を維持する。これらによって、アッパレール４１の前後動が規制された状態になっている。
【００１５】
この状態で車両用シート１の着座者が、図２の矢印Ｂに示すように、操作レバー４３を上方に向けて操作すると、操作レバー４３が針金状スプリング４５ｃの付勢力に抗して支持軸４５ｂ回りに反時計方向に回動し、この回動によってブラケット４５ａが針金状スプリング４５ｃの付勢力に抗して、図２の矢印Ｃに示すように、ストッパ４４ａを下方に向けて移動させることになる。このストッパ４４ａの下方への移動は、ストッパ４４ａが板状スプリング４４ｃの付勢力に抗して回転軸４４ｂ周りに時計方向に回動することになり、スライドアジャスタ４０をロック状態から解除し、これによって、アッパレール４１はロアレール４２に案内されつつ前後動が可能になる。
【００１６】
したがって、着座者は、操作レバー４３を上方に向けて操作しながら腰をずらすことによって車両用シート１を所望の前後位置に位置設定することができる。そして、所望の前後位置が決まった状態で操作レバー４３から手を離すことにより、針金状スプリング４５ｃの付勢力によって操作レバー４３が下方位置に移動すると共に、ブラケット４５ａが支持軸４５ｂ回りに時計方向に回動することによって前述のとおりアッパレール４１の前後動が再度ロックされた状態になる。
【００１７】
図３および図４に示すように、保護部材５１はアッパライザ５０に取り付けられ、ブラケット４５ａがストッパ４４ａに接続される部分の周りに配置される。保護部材５１はＵ字状のワイヤで構成される。ストッパ４４ａに接続される部分を含み、平面視でブラケット４５ａの支持軸４５ｂから後方部分の１／２以上が保護部材５１に含まれている。操作レバー４３を引き上げなくても、図３の矢印Ｄに示すように、直接、ブラケット４５ａを上から押すことができるとストッパ４４ａが下がり、スライドアジャスタ４０のロックは解除される。しかし、図３に示すような保護部材５１を設けることにより、保護部材５１が支持軸４５ｂから遠い部分のブラケット４５ａをガードし、上から押し込むことができなくなる。
【００１８】
次に、実施例の作用効果について図５を用いて説明する。図５は実施例に係る車両用シートおよび後席用の車両用シートの側面図である。
【００１９】
前席の車両用シート１の下部に高さのある広いスペースがあると、後席の車両用シート２の着座者の足や床に置いた荷物等が、ロック解除機構４５に直接接触する可能性がある。具体的には、後席用の車両用シート２の着座者が前席の車両用シート１のロック解除機構４５のブラケット４５ａを上から足で踏み込んでスライドアジャスタのロックを解除する可能性がある。しかし、実施例では保護部材５１がブラケット４５ａの上方の周りに配置されるので、着座者はストッパ４４ａに接続しているブラケット４５ａを足で踏むことができない。これにより、運転中の不測のスライドアジャスタ４０のロック解除を回避することができる。
【００２０】
また、保護部材５１はワイヤで構成されているので、樹脂等でロック解除機構４５の全体を覆う場合に比べて、容易に製作することができ、コストを低減することができる。
【００２１】
以上、本発明者らによってなされた発明を実施例に基づき具体的に説明したが、本発明は、上記実施例に限定されるものではなく、種々変更可能であることはいうまでもない。
【００２２】
例えば、実施例では、ロック解除機構４５を左側のスライドアジャスタに設けた例を説明したが、ロック解除機構４５を右側または両側のスライドアジャスタに設けてもよい。
【符号の説明】
【００２３】
１・・・車両用シート
１０・・・シートクッション
２０・・・シートバック
３０・・・ヘッドレスト
４０・・・スライドアジャスタ
４１・・・アッパレール
４２・・・ロアレール
４３・・・操作レバー
４４・・・ロック機構
４４ａ・・・ストッパ
４４ｂ・・・回転軸
４４ｃ・・・板状スプリング
４５・・・ロック解除機構
４５ａ・・・ブラケット
４５ｂ・・・支持軸
４５ｃ・・・針金状スプリング
５０・・・アッパライザ
５１・・・保護部材
【図１】
2018030485.tif 000003
【図２】
2018030485.tif 000004
【図３】
2018030485.tif 000005
【図４】
2018030485.tif 000006
【図５】
2018030485.tif 000007